(57)【要約】【課題】表示品位に優れた液晶表示装置を提供すること。【解決手段】実施形態に係る液晶表示装置は、第１信号線と、共通電極と、共通電極に接続する金属層と、を備える第１基板と、第１基板に対向配置された第２基板と、第１基板と第２基板との間に封入された液晶層とを具備し、金属層は、第１信号線と交差する第１金属層と、第１金属層と離間して設けられる第２金属層と、第１金属層と第２金属層とを接続する第３金属層とを有する。【選択図】図４
2017122770.tif 000002
【特許請求の範囲】
【請求項１】
第１信号線と、共通電極と、前記共通電極に接続する金属層と、を備える第１基板と、
前記第１基板に対向配置された第２基板と、
前記第１基板と前記第２基板との間に封入された液晶層と
を具備し、
前記金属層は、前記第１信号線と交差する第１金属層と、前記第１金属層と離間して設けられる第２金属層と、前記第１金属層と前記第２金属層とを接続する第３金属層とを備える、液晶表示装置。
【請求項２】
前記各第１信号線は、走査線である、請求項１に記載の液晶表示装置。
【請求項３】
前記第２基板は、前記液晶層に突出するスペーサを備え、
前記第３金属層は、前記スペーサが前記第１基板に当接する箇所とは異なる箇所にて前記第１金属層と前記第２金属層とを接続する、請求項１または２に記載の液晶表示装置。
【請求項４】
前記第１基板は、前記第１信号線と交差する第２信号線を備え、
前記第１及び第２金属層は、前記第２信号線に沿うようにして設けられる、請求項１乃至３のいずれか１項に記載の液晶表示装置。
【請求項５】
前記第３金属層は、前記第１信号線に沿うようにして設けられる、請求項１乃至４のいずれか１項に記載の液晶表示装置。
【請求項６】
前記第２基板は、画素を区画する遮光層を備え、
前記第１乃至第３金属層と、前記スペーサとは、前記遮光層に重畳している、請求項３に記載の液晶表示装置。
【請求項７】
前記スペーサは、前記第１基板と前記第２基板との間隔を規定するメインスペーサである、請求項３に記載の液晶表示装置。
【請求項８】
前記金属層は、前記第１金属層に隣接して設けられる第４金属層を備え、
前記第４金属層は、前記第２金属層とは異なる金属層であり、前記第１信号線と重畳する箇所において離間している、請求項７に記載の液晶表示装置。
【請求項９】
前記第２基板は、前記第４金属層が離間している箇所に、前記メインスペーサとは異なるサブスペーサを備える、請求項８に記載の液晶表示装置。
【請求項１０】
前記第１金属層は、赤色画素と緑色画素との間に設けられ、
前記第２金属層は、青色画素と赤色画素との間に設けられる、請求項１に記載の液晶表示装置。
【請求項１１】
前記第４金属層は、緑色画素と青色画素との間に設けられる、請求項８に記載の液晶表示装置。
【請求項１２】
前記各共通電極は、前記金属層により電気的に接続されることでセンサの駆動電極として動作する、請求項１に記載の液晶表示装置。
【請求項１３】
前記第１金属層は第１線幅を有し、前記第１金属層と前記第３金属層との接続部分は前記第１線幅より大きい第２線幅を有する、請求項１に記載の液晶表示装置。
【請求項１４】
前記第２線幅は、前記第１線幅の１．１倍以上、３倍以下である、請求項１３に記載の液晶表示装置。
【請求項１５】
第１信号線と、共通電極と、前記共通電極に接続する金属層と、を備える第１基板と、
前記第１基板に対向配置された第２基板と、
前記第１基板と前記第２基板との間に封入された液晶層と
を具備し、
前記第２基板は、前記液晶層に突出するスペーサを備え、
前記金属層は、前記第１信号線と交差する第１金属層と、前記第１金属層に隣接して設けられ、かつ前記スペーサが前記第１基板に当接する箇所を迂回するようにして設けられる第２金属層とを備える、液晶表示装置。
【発明の詳細な説明】
【技術分野】
【０００１】
本発明の実施形態は、液晶表示装置に関する。
【背景技術】
【０００２】
近年、平面表示装置が盛んに開発されており、中でも液晶表示装置は、軽量、薄型、低消費電力等の利点から特に注目を集めている。液晶表示装置では、画素電極及び共通電極の双方が設けられたアレイ基板と、当該アレイ基板に対向した対向基板が配置され、アレイ基板と対向基板との間に液晶層が挟持されている。そして、液晶分子による光の透過率を画素毎に制御することによって画像を形成している。
【０００３】
近年、駆動電極及びタッチ検出電極を備えたタッチ検出機能付き表示装置が開発されている。駆動電極は、液晶表示デバイスの共通駆動電極として機能するとともに、タッチ検出デバイスの駆動電極としても機能するものであり、一例として、駆動電極が画素信号線と同じ方向に延伸するように形成される技術が知られている。このような表示装置においては、駆動電極に起因する表示品位の劣化及びタッチ検出性能の低下を抑制することが要求される。
【０００４】
ところで、アレイ基板と対向基板との間隔（セルギャップ）を保つために、柱状のスペーサ（以下、第１柱状スペーサまたはメインスペーサと表記する場合がある）が設けられる。また、メインスペーサの他に、対向基板に外圧が加わった場合に補助的に機能する柱状のスペーサ（以下、第２柱状スペーサまたはサブスペーサと表記する場合がある）が設けられる場合もある。スペーサが設けられた箇所の周辺は、遮光層によって遮光されるため、スペーサの周囲に位置する画素では、表示に寄与する開口部の面積が減少する。このため、ホワイトバランスなどの表示品位の劣化を招くことなく、スペーサを配置することが要求される。
【先行技術文献】
【特許文献】
【０００５】
【特許文献１】特開２０１２−４７８０７号公報
【特許文献２】特開２０１１−２３３０１８号公報
【発明の概要】
【発明が解決しようとする課題】
【０００６】
実施形態の一態様における目的は、表示品位に優れた液晶表示装置を提供することである。
【課題を解決するための手段】
【０００７】
実施形態に係る液晶表示装置は、第１信号線と、共通電極と、前記共通電極に接続する金属層と、を備える第１基板と、前記第１基板に対向配置された第２基板と、前記第１基板と前記第２基板との間に封入された液晶層とを具備し、前記金属層は、前記第１信号線と交差する第１金属層と、前記第１金属層と離間して設けられる第２金属層と、前記第１金属層と前記第２金属層とを接続する第３金属層とを備える。
【図面の簡単な説明】
【０００８】
【図１】図１は、一実施形態に係る液晶表示装置の概略的な構成を示す平面図である。
【図２】図２は、表示領域に接触或いは近接する物体を検出する原理の一例を示す図である。
【図３】図３は、一実施形態に係る液晶表示装置において、画像表示に関わる概略的な等価回路を示す図である。
【図４】図４は、対向基板側に形成されるカラーフィルタをアレイ基板側から見た概略平面図である。
【図５】図５は、図４の一点鎖線領域内を拡大した図である。
【図６】図６は、図４の一点鎖線領域内を対向基板側から見た場合の概略平面図である。
【図７】図７は、図６の線Ａ−Ａ’に沿った液晶表示装置１の一部を示す断面図である。
【図８】図８は、従来の液晶表示装置に関し、対向基板側に形成されるカラーフィルタをアレイ基板側から見た概略平面図である。
【図９】図９は、第１スペーサ付近に形成される金属層をアレイ基板側から見た場合の概略平面図である。
【図１０】図１０は、図９の一点鎖線領域内を対向基板側から見た場合の概略平面図である。
【図１１】図１１は、第１スペーサ付近に形成される金属層をアレイ基板側から見た場合の概略平面図である。
【図１２】図１２は、図１１の一点鎖線領域内を対向基板側から見た場合の概略平面図である。
【図１３】図１３は、第１スペーサ付近に形成される金属層を対向基板側から見た図である。
【発明を実施するための形態】
【０００９】
いくつかの実施形態につき、図面を参照しながら説明する。  
なお、開示はあくまで一例に過ぎず、当業者において、発明の主旨を保っての適宜変更について容易に想到し得るものについては、当然に本発明の範囲に含有される。また、図面は、説明をより明確にするため、実際の態様に比べて模式的に表される場合があるが、あくまで一例であって、本発明の解釈を限定するものではない。各図において、連続して配置される同一又は類似の要素については符号を省略することがある。また、本明細書と各図において、既出の図に関して前述したものと同一又は類似した機能を発揮する構成要素には同一の参照符号を付し、重複する詳細な説明を省略することがある。
【００１０】
各実施形態においては、表示装置の一例として、液晶表示素子を用いた表示パネルを備えるとともに、タッチ検出機能を有した表示装置を開示する。ただし、各実施形態は、液晶表示素子以外の表示素子を用いた表示装置に対する、各実施形態にて開示される個々の技術的思想の適用を妨げるものではない。液晶表示素子以外の表示素子としては、有機エレクトロルミネッセンス表示素子等を有する自発光型の表示パネル、或いは電気泳動素子等を有する電子ペーパ型の表示パネルなどが想定される。
【００１１】
図１は、一実施形態に係る液晶表示装置１の概略的な構成を示す平面図である。液晶表示装置１は、例えば、スマートフォン、タブレット端末、携帯電話端末、パーソナルコンピュータ、テレビ受像装置、車載装置、ゲーム機器等の種々の装置に用いることができる。
【００１２】
液晶表示装置１は、液晶表示パネル２と、複数の駆動電極ＴＸ（ＴＸ１〜ＴＸｎ）と、各駆動電極ＴＸと対向する複数の検出電極ＲＸ（ＲＸ１〜ＲＸｍ）と、ドライバモジュールとして機能するドライバＩＣ３と、検出モジュールとして機能するタッチ検出ＩＣ４とを備えている。ｎ及びｍは、例えば２以上の整数である。
【００１３】
液晶表示パネル２は、矩形状のアレイ基板（第１基板）ＡＲと、このアレイ基板ＡＲよりも外形が小さい矩形状の対向基板（第２基板）ＣＴとを備えている。図１の例において、アレイ基板ＡＲ及び対向基板ＣＴは、３辺を重ねて貼り合わされている。アレイ基板ＡＲは、対向基板ＣＴと対向しない端子領域ＮＡ（非対向領域）を有している。
【００１４】
アレイ基板ＡＲ及び対向基板ＣＴが対向する領域において、液晶表示パネル２は、画像を表示する表示領域（アクティブエリア）ＤＡと、表示領域ＤＡと液晶表示パネル２の端部との間の周辺領域ＦＡとを有している。図１の例において、表示領域ＤＡは、端子領域ＮＡ側の第１辺Ｅ１と、第１辺Ｅ１の反対側の第２辺Ｅ２と、第１辺Ｅ１及び第２辺Ｅ２を繋ぐ第３辺Ｅ３及び第４辺Ｅ４とを有した長方形状である。以下の説明においては、第１辺Ｅ１及び第２辺Ｅ２と平行な方向を第１方向Ｘと称し、第３辺Ｅ３及び第４辺Ｅ４と平行な方向を第２方向Ｙと称する。本実施形態においては、第１方向Ｘ及び第２方向Ｙが垂直に交わるが、第１方向Ｘ及び第２方向Ｙは他の角度で交わってもよい。
【００１５】
表示領域ＤＡにおいて、駆動電極ＴＸ１〜ＴＸｎは、第１辺Ｅ１から第２辺Ｅ２に至るまで第２方向Ｙに延びると共に第１方向Ｘに並んでいる。駆動電極ＴＸ１〜ＴＸｎは、例えばインジウム・ティン・オキサイド（ＩＴＯ）等の透明導電膜で形成された複数の共通電極ＣＥによってそれぞれ構成されている。より具体的には、図示した例の駆動電極ＴＸ１は、第１方向Ｘに沿って分割され且つ第２方向Ｙに並んだ複数の共通電極ＣＥと、第２方向Ｙに並んだ複数の共通電極ＣＥを電気的に接続する金属層ＭＬと、を備えている。駆動電極ＴＸ１〜ＴＸｎは、例えば液晶表示パネル２の内部、つまり、アレイ基板ＡＲに形成されている。
【００１６】
表示領域ＤＡにおいて、検出電極ＲＸ１〜ＲＸｍは、第３辺Ｅ３から第４辺Ｅ４に至るまで第１方向Ｘに延びると共に第２方向Ｙに並んでいる。検出電極ＲＸ１〜ＲＸｍは、ＩＴＯ等の透明導電膜や、金属線を用いた導電パターンによって形成することができる。検出電極ＲＸ１〜ＲＸｍは、例えば対向基板ＣＴのアレイ基板ＡＲと対向する面とは反対側の表面に形成されている。
【００１７】
ドライバＩＣ３は、画像表示に関する制御を実行するものであり、端子領域ＮＡに実装されている。ドライバＩＣは、例えばＣＯＧ（Chip On Glass）方式により実装されているが、第１フレキシブル配線基板６に実装されたものであってもよい。  
端子領域ＮＡには、実装端子５が形成されている。実装端子５には、画像データを液晶表示パネル２に供給する第１フレキシブル配線基板６が接続されている。
【００１８】
端子領域ＮＡに沿う対向基板ＣＴの端部には、実装端子７が形成されている。実装端子７には、検出電極ＲＸ１〜ＲＸｍからの検出信号を出力する第２フレキシブル配線基板８が接続されている。図１の例において、タッチ検出ＩＣ４は、第２フレキシブル配線基板８に実装されている。
【００１９】
検出電極ＲＸ１〜ＲＸｍは、例えば周辺領域ＦＡにおいて対向基板ＣＴの表面に形成された検出配線ＤＬを介して実装端子７と接続されている。
続いて、駆動電極ＴＸ及び検出電極ＲＸにより表示領域ＤＡに接触或いは近接する物体を検出するセンサの原理の一例につき、図２を用いて説明する。  
互いに対向する駆動電極ＴＸと検出電極ＲＸとの間には、容量Ｃｃが存在する。駆動電極ＴＸに駆動信号Ｓｔｘが供給されると、容量Ｃｃを介して検出電極ＲＸに電流が流れるため、検出電極ＲＸから検出信号Ｓｒｘが得られる。駆動信号Ｓｔｘは例えば矩形パルスであり、検出信号Ｓｒｘは駆動信号Ｓｔｘに対応した電圧の矩形パルスである。
【００２０】
液晶表示装置１にユーザの指等の導体である物体Ｏが近づくと、物体Ｏに近接する検出電極ＲＸと物体Ｏとの間に容量Ｃｘが生じる。駆動電極ＴＸに駆動信号Ｓｔｘが供給されたとき、物体Ｏに近接する検出電極ＲＸから得られる検出信号Ｓｒｘの波形は、容量Ｃｘの影響を受けて変化する。すなわち、各検出電極ＲＸから得られる検出信号Ｓｒｘに基づけば、タッチ検出ＩＣ４は、表示装置１に接触或いは近接する物体Ｏを検出することができる。また、各駆動電極ＴＸに駆動信号Ｓｔｘを時分割で順次供給した際に各時相にて各検出電極ＲＸから得られる検出信号Ｓｒｘに基づけば、タッチ検出ＩＣ４は、物体Ｏの第１方向Ｘ及び第２方向Ｙにおける位置を検出することができる。以上説明した方式は、相互容量方式、又は、ミューチャル検出方式等と呼ばれる。
【００２１】
次に、液晶表示装置１による画像表示について説明する。図３は、画像表示に関わる概略的な等価回路を示す図である。液晶表示装置１は、複数のゲート配線（走査線、第１信号線）Ｇと、これらゲート配線Ｇに交差する複数のソース配線（第２信号線）Ｓと、第１ゲートドライバＧＤ１と、第２ゲートドライバＧＤ２と、セレクタ（ＲＧＢスイッチ）ＳＤとを備えている。セレクタＳＤは、複数のビデオ線ＶＬを介してドライバＩＣ３と接続されている。
【００２２】
各ゲート配線Ｇは、表示領域ＤＡにおいて第１方向Ｘに延びると共に第２方向Ｙに並んでいる。各ソース配線Ｓは、表示領域ＤＡにおいて第２方向Ｙに延びると共に第１方向Ｘに並んでいる。各ゲート配線Ｇ及び各ソース配線Ｓは、アレイ基板ＡＲに形成されている。各ゲート配線Ｇは、第１ゲートドライバＧＤ１及び第２ゲートドライバＧＤ２に接続されている。各ソース配線Ｓは、セレクタＳＤに接続されている。
【００２３】
図３の例においては、各ゲート配線Ｇ及び各ソース配線Ｓによって区画された領域が１つの副画素ＳＰＸに相当する。例えば、本実施形態においては、赤色に対応する副画素（以下、赤色画素と表記する）ＳＰＸＲと、緑色に対応する副画素（以下、緑色画素と表記する）ＳＰＸＧと、青色に対応する副画素（以下、青色画素と表記する）ＳＰＸＢとで１つの画素ＰＸが構成される。画素ＰＸは、白色に対応する副画素ＳＰＸＷ等をさらに備えてもよい。
【００２４】
各副画素ＳＰＸは、アレイ基板ＡＲに形成された薄膜トランジスタＴＦＴ（スイッチング素子）を備えている。薄膜トランジスタＴＦＴは、ゲート配線Ｇ、ソース配線Ｓ及び画素電極ＰＥと電気的に接続されている。表示に際して、共通電極ＣＥは共通電位に設定される。
【００２５】
第１ゲートドライバＧＤ１及び第２ゲートドライバＧＤ２は、各ゲート配線Ｇに対して走査信号を順次供給する。セレクタＳＤは、ドライバＩＣ３に制御されて、各ソース配線Ｓに対して映像信号を選択的に供給する。ある薄膜トランジスタＴＦＴに接続されたゲート配線Ｇに走査信号が供給され、かつこの薄膜トランジスタＴＦＴに接続されたソース配線Ｓに映像信号が供給されると、この映像信号に応じた電圧が画素電極ＰＥに印加される。このとき、画素電極ＰＥと共通電極ＣＥとの間に生じる電界によって、アレイ基板ＡＲと対向基板ＣＴとの間に封入された液晶層ＬＣの液晶分子の配向が、電圧の印加されていない初期配向状態から変化する。このような動作により、表示領域ＤＡに画像が表示される。
【００２６】
図４は、アレイ基板ＡＲに形成される多数の副画素ＳＰＸＲ，ＳＰＸＧ，ＳＰＸＢにそれぞれ対応し、対向基板ＣＴ側に形成されるカラーフィルタＣＦＲ，ＣＦＧ，ＣＦＢをアレイ基板ＡＲ側から見た概略平面図である。なお、図４においては、アレイ基板ＡＲと対向基板ＣＴとの間に設けられる（液晶層ＬＣに突出する）柱状のスペーサＰＳを遮光するための遮光層と、各カラーフィルタＣＦ間に設けられるブラックマトリクスＢＭ（遮光層）とを破線にて示している。
【００２７】
１つの画素ＰＸを構成する３つの副画素ＳＰＸＲ，ＳＰＸＧ，ＳＰＸＢのうち、青色画素ＳＰＸＢと赤色画素ＳＰＸＲとにそれぞれ対応する青色カラーフィルタＣＦＢと赤色カラーフィルタＣＦＲとの間（境界）には、アレイ基板ＡＲと対向基板ＣＴとの間隔（セルギャップ）を規定するための柱状の第１スペーサＰＳ１が形成される。換言すると、第１スペーサＰＳ１は、液晶層ＬＣの高さを規定するために形成される。第１スペーサＰＳ１の高さは、液晶層ＬＣ中に同様に形成される柱状の第２スペーサＰＳ２の高さよりも高い。なお、第１スペーサＰＳ１はメインスペーサと称されてもよい。
【００２８】
このように、第１スペーサＰＳ１が、人間の視感度が特に高い緑色画素ＳＰＸＧ以外の副画素である青色画素ＳＰＸＢと赤色画素ＳＰＸＲとにそれぞれ対応する青色カラーフィルタＣＦＢと赤色カラーフィルタＣＦＲとの間に形成されることにより、次のような利点を得ることができる。例えば、外部から押し圧力（外圧）が加えられた際にスペーサの先端部が配向膜に押し付けられ、これによりスペーサ痕ができ、このスペーサ痕から光漏れが生じたとしても、この光漏れは緑色よりも視感度の低い青色画素ＳＰＸＢまたは赤色画素ＳＰＸＲにできたものであるので、この光漏れを人間の眼にとって認識され辛いものにする（つまり、光漏れによるスジむらを目立ちにくくする）ことができる。
【００２９】
１つの画素ＰＸを構成する３つの副画素のうち、緑色画素ＳＰＸＧと青色画素ＳＰＸＢとにそれぞれ対応する緑色カラーフィルタＣＦＧと青色カラーフィルタＣＦＢとの間には、外部からの押し圧力に対応するための第２スペーサＰＳ２が形成される。第２スペーサＰＳ２は、上記したように外部からの押し圧力に対応する必要があるので、第１スペーサＰＳ１よりも多数形成される。具体的には、第２スペーサＰＳ２の数は、第１スペーサＰＳ１の数の１０倍以上である。なお、図４においては、第１スペーサＰＳ１として示されているスペーサ以外のスペーサは、全て第２スペーサＰＳ２である。第２スペーサＰＳ２はサブスペーサと称されてもよい。
【００３０】
第１スペーサＰＳ１は、上記したように第２スペーサＰＳ２よりも高さが高いので、外部から押し圧力が加えられた際に大きく変形する。このため、第１スペーサＰＳ１に対応するブラックマトリクスＢＭの径は、第２スペーサＰＳ２に対応するブラックマトリクスＢＭの径よりも大きくなる。しかしながら、上記したように第２スペーサＰＳ２は、第１スペーサＰＳ１の１０倍以上の数だけ形成されるので、表示領域ＤＡ全体においては、第２スペーサＰＳ２に対応するブラックマトリクスＢＭが占める領域は、第１スペーサＰＳ１に対応するブラックマトリクスＢＭが占める領域に比べて大きくなる。つまり、透過率を向上させるという点においては、対応するブラックマトリクスＢＭが占める領域の大きい第２スペーサＰＳ２の方が、第１スペーサＰＳ１より寄与率が高い。このため、第２スペーサＰＳ２が、一般的に透過率が律速する色（換言すると、透過率の向上に最も寄与する色）である赤色以外のカラーフィルタＣＦＧ，ＣＦＢの間に形成されることにより、液晶表示装置１（表示領域ＤＡ）全体の透過率を向上させることができる。
【００３１】
なお、図４においては、第１及び第２スペーサＰＳ１，ＰＳ２の底面（対向基板ＣＴ側の面）の形状が円形である場合を想定しているので、第１及び第２スペーサＰＳ１，ＰＳ２に対応する各ブラックマトリクスＢＭの形状は円形となる。つまり、ブラックマトリクスＢＭの形状は、対応するスペーサの底面の形状に応じて適宜変更される。例えば、スペーサの底面の形状が四角形であれば、対応するブラックマトリクスの形状は四角形である方が好ましい。このとき、対応するブラックマトリクスＢＭの形状は、スペーサの底面の四角形に相似した四角形である方がより好ましい。  
また、図４においては、説明の便宜上、第２スペーサＰＳ２の底面を１つだけ図示しているが、他の第２スペーサＰＳ２についても同様である。後述する図においても、第２スペーサＰＳ２の底面を１つだけ図示し、他の第２スペーサＰＳ２の底面は適宜省略するものとする。さらに、図４においては、第１スペーサＰＳ１に隣接する箇所には、第２スペーサＰＳ２は配置されていないものの、第２スペーサＰＳ２に対応するブラックマトリクスＢＭは形成されるものとしている。
【００３２】
金属層（金属線）ＭＬ１〜ＭＬ１０は、第１方向Ｘに延びるゲート配線Ｇと交差するようにして形成され、それぞれ図１に示した第２方向Ｙに並ぶ各共通電極ＣＥを電気的に接続する。これによれば、第２方向Ｙに並ぶ各共通電極ＣＥが同電位となり、図１に示したような駆動電極ＴＸが構成される。金属層ＭＬ１〜ＭＬ１０は、ＩＴＯ等の透明導電膜よりも低抵抗であるため、金属層ＭＬ１〜ＭＬ１０によって各共通電極ＣＥを接続することにより駆動電極ＴＸの抵抗値を低く抑えることができる。なお、詳細については後述するが、金属層ＭＬ２，ＭＬ５，ＭＬ８は、第２スペーサＰＳ２が配置される複数箇所において離間し、駆動電極ＴＸとして機能しないものであるため、省略しても良い。但し、これらの金属層ＭＬは、第１方向Ｘに隣接する色画素間の境界に位置しているため、液晶表示装置を斜め方向から観察した際に、他色画素を透過する光を遮光することができ、混色を抑制することができる。このため、たとえ駆動電極ＴＸの低抵抗化への寄与が低い金属層であっても、色画素間の境界に配置することが望ましい。金属層ＭＬ１〜ＭＬ１０は、モリブデン、タングステン、アルミニウム、チタン、銅等の金属材料或いはこれらの金属材料を含む合金等によって形成されている。金属層ＭＬ１〜ＭＬ１０は、単層構造であってもよいし、多層構造であってもよい。
【００３３】
第１及び第２スペーサＰＳ１、ＰＳ２は、例えば、図３に示したゲート線Ｇ及びソース線Ｓの交点付近に配置される。このため、金属層ＭＬ２，ＭＬ５，ＭＬ６，ＭＬ８は、ゲート線Ｇ及びソース線Ｓの交点付近、あるいは、ゲート線Ｇと重畳する箇所において離間している。なお、金属層ＭＬ６については、後述するように迂回して金属層ＭＬ７に接続されている。
【００３４】
なお、図４において、金属層ＭＬ１〜ＭＬ１０は、対向基板ＣＴに形成された第１及び第２スペーサＰＳ１，ＰＳ２の先端部がアレイ基板ＡＲ（配向膜）に当接する部分（以下、スペーサ接地部分と表記）ＰＳＵには形成されていない。また、表示領域ＤＡの図示されない他のスペーサ接地部分についても同様である。これは、スペーサ接地部分ＰＳＵに金属層ＭＬが形成されると、例えば、外部からの押し圧力が加えられた場合に、第１及び第２スペーサＰＳ１，ＰＳ２の先端部が必ずしも金属層に当接するとは限らないためである。例えば、外部からの押し圧力が加えられた際に、所定のスペーサの先端部は金属層に当接しているにも関わらず、別のスペーサの先端部が別の金属層に当接せずにアレイ基板ＡＲに当接している場合、外部からの押し圧力が平均的に各スペーサに加わるわけではなくなる。これにより、スペーサが破損する可能性がでてくる。これに対し、図４に示すように、全てのスペーサ接地部分ＰＳＵに金属層ＭＬが存在しない構成とすれば、外部からの押し圧力が加えられた際に、第１及び第２スペーサＰＳ１，ＰＳ２はアレイ基板ＡＲに当接し、外部からの押し圧力が各スペーサに分散されることになるので、スペーサの破損を抑制することができる。
【００３５】
第１スペーサＰＳ１が配置される青色カラーフィルタＣＦＢと赤色カラーフィルタＣＦＲとにそれぞれ対応する青色画素ＳＰＸＢと赤色画素ＳＰＸＲとの間に形成される金属層ＭＬ６は、図４に示すように、赤色画素ＳＰＸＲと緑色画素ＳＰＸＧとの間に形成される（つまり、隣接する）金属層ＭＬ７に接続されている。具体的には、青色画素ＳＰＸＢと赤色画素ＳＰＸＲとの間に形成される金属層ＭＬ６は、第１スペーサＰＳ１が配置される箇所においては、第１スペーサＰＳ１のスペーサ接地部分ＰＳＵを避けるように迂回して、隣接する金属層ＭＬ７に接続するように形成されている。
【００３６】
図５は、図４の一点鎖線領域内を拡大した図である。なお、ゲート線Ｇが図中に一点鎖線で示されている。金属層ＭＬ７（第１金属層）は、ゲート線Ｇと交差している。金属層ＭＬ６は、金属層ＭＬ７に隣接して設けられ、第１スペーサＰＳ１が配置される青色画素ＳＰＸＢと赤色画素ＳＰＸＲとの間に形成される。金属層ＭＬ６は、ゲート線Ｇと重畳する箇所において離間した第１部分ＭＬ６１及びＭＬ６２（第２金属層）と、これらの第１部分ＭＬ６１及びＭＬ６２と金属層ＭＬ７とを接続する第２部分ＭＬ６３（第３金属層）と、を含む。なお、図示した例では、金属層ＭＬ５及び金属層ＭＬ８の各々は、ゲート線Ｇと重畳する箇所において離間している。
【００３７】
第１部分ＭＬ６１及びＭＬ６２は、第２方向Ｙに沿って屈曲しながら延びる。第２部分ＭＬ６３は、第１スペーサＰＳ１のスペーサ接地部分ＰＳＵを避けるように迂回している。一観点では、第２部分ＭＬ６３の一端側は第１部分ＭＬ６１に接続され、第２部分ＭＬ６３の他端側は第１部分ＭＬ６２に接続され、第２部分ＭＬ６３の中途部分が金属層ＭＬ７に接続されている。第１部分ＭＬ６１及びＭＬ６２は、青色カラーフィルタＣＦＢと赤色カラーフィルタＣＦＲとの間に形成されるブラックマトリクスＢＭ内に収まるように形成される。また、第２部分ＭＬ６３の大部分は、第１スペーサＰＳ１の周囲を遮光するブラックマトリクスＢＭ内に収まるように形成される。図５においては、上記したように第１スペーサＰＳ１に対応するブラックマトリクスＢＭの形状は円形であるので、第２部分ＭＬ６３は、第１スペーサＰＳ１に対応した円形のブラックマトリクスＢＭの円弧に沿うようにして形成される。
【００３８】
金属層ＭＬ６の第１部分ＭＬ６１や金属層ＭＬ７は、第１線幅Ｗ１を有する。また、第２部分ＭＬ６３と金属層ＭＬ７との接続部分は、第１線幅Ｗ１よりも大きい第２線幅Ｗ２を有する。第２線幅Ｗ２は、第１線幅Ｗ１の１．１倍以上、３．０倍以下、より好ましくは、１．６倍以上２．４倍以下であり、一例では、第１線幅Ｗ１の約２倍である。これによれば、金属層ＭＬ６及びＭＬ７のそれぞれについて抵抗値の増加を招くことなく、駆動電極ＴＸとして機能させることができる。
【００３９】
図６は、図４の一点鎖線領域内を対向基板ＣＴ側から見た場合の概略平面図である。ここでは、第１スペーサＰＳ１のスペーサ接地部分ＰＳＵの周囲に位置する画素電極ＰＥ１及びＰＥ２に着目して説明する。なお、スペーサ接地部分ＰＳＵは、図示したゲート線Ｇ及びソース線Ｓの交差部近傍に位置している。画素電極ＰＥ１は共通電極ＣＥ１と対向し、画素電極ＰＥ２は共通電極ＣＥ２と対向している。共通電極ＣＥ１及びＣＥ２は、ゲート線Ｇと重複する箇所で離間している。画素電極ＰＥ１は、コンタクトホールＣＨにおいて中継電極ＲＥ１及びＲＥ２を介して、図示したゲート線Ｇ及びソース線Ｓと電気的に接続されたスイッチング素子に接続されている。中継電極ＲＥ１はソース配線Ｓと同一層に位置し、中継電極ＲＥ２は共通電極ＣＥ１などと同一層に位置している。尚、本実施形態では、共通電極ＣＥ１及び共通電極ＣＥ２とは、ゲート線Ｇが形成されている領域で離間している。しかし、特に制限される訳ではなく、金属層ＭＬ５が離間して設けられている箇所、或いは、金属層ＭＬ７が設けられている箇所において、共通電極ＣＥ１及び共通電極ＣＥ２と同層の透明導電膜でそれらを接続する構成であってもよい。共通電極ＣＥ１及び共通電極ＣＥ２を透明導電膜で接続する際、上述の理由により、スペーサが設けられた箇所を避けることが好ましい。しかし、金属層の幅Ｗ１よりも広い幅の透明導電膜で共通電極ＣＥ１及び共通電極ＣＥ２を接続することで、上述の問題を解消することができる。
【００４０】
金属層ＭＬ６の第１部分ＭＬ６１及びＭＬ６２は、ソース線Ｓに重畳している。第２部分ＭＬ６３は、スペーサ接地部分ＰＳＵ及びコンタクトホールＣＨを避けるように迂回して、金属層ＭＬ７に接続している。このような金属層ＭＬ６及びＭＬ７は、互いに離間した共通電極ＣＥ１及びＣＥ２を接続している。
【００４１】
図７は、図６の線Ａ−Ａ’に沿った液晶表示装置１の一部を示す断面図である。なお、図示した断面図では、中継電極ＲＥ１よりも下層に位置するスイッチング素子などの構造について図示を省略している。  
アレイ基板ＡＲと対向基板ＣＴとは、上記したセルギャップがここでは図示されない第１柱状スペーサＰＳ１により規定された（形成された）状態で貼り合わされている。このセルギャップにより形成される空間に、液晶層ＬＣが封入されている。
【００４２】
アレイ基板ＡＲは、ガラス基板や樹脂基板等の光透過性を有する第１絶縁基板１０を備えている。アレイ基板ＡＲは、第１絶縁基板１０の対向基板ＣＴに対向する側に、図示しないスイッチング素子、ゲート線、ソース線の他に、中継電極ＲＥ１及びＲＥ２、共通電極ＣＥ１及びＣＥ２、画素電極ＰＥ１及びＰＥ２、金属層ＭＬ６の第２部分ＭＬ６３、第１絶縁膜１１、第２絶縁膜１２、第３絶縁膜１３及び第１配向膜ＡＬ１等を備えている。
【００４３】
第１絶縁膜１１は、第１絶縁基板１０の対向基板ＣＴに対向する側に形成されている。スイッチング素子と電気的に接続された中継電極ＲＥ１は、第１絶縁膜１１の上に位置している。第２絶縁膜１２は、中継電極ＲＥ１及び第１絶縁膜１１を覆っている。なお、中継電極ＲＥ１は、図示しないソース配線Ｓと同層に形成されるので、第２絶縁膜１２は、ソース配線Ｓも覆っている。第２絶縁膜１２は、コンタクトホールＣＨにおいて中継電極ＲＥ１まで貫通している。共通電極ＣＥ１及びＣＥ２は、第２絶縁膜１２の上に位置している。中継電極ＲＥ２は、コンタクトホールＣＨにおいて中継電極ＲＥ１にコンタクトしている。中継電極ＲＥ２は、共通電極ＣＥ１及びＣＥ２と同層に形成されているものの、共通電極ＣＥ１及びＣＥ２から離間しており、電気的に絶縁されている。中継電極ＲＥ２は、例えば、共通電極ＣＥ１及びＣＥ２と同一の透明導電材料によって形成されている。
【００４４】
第２部分ＭＬ６３などの金属層は、第２絶縁膜１２及び共通電極ＣＥ１及びＣＥ２の上面に接触している。第３絶縁膜１３は、第２部分ＭＬ６３などの金属層、第２絶縁膜１２、及び、共通電極ＣＥ１及びＣＥ２を覆っている。第３絶縁膜１３は、コンタクトホールＣＨにおいて中継電極ＲＥ２まで貫通している。画素電極ＰＥ１及びＰＥ２は、第３絶縁膜１３の上に位置し、それぞれ共通電極ＣＥ１及びＣＥ２と対向している。画素電極ＰＥ１は、コンタクトホールＣＨにおいて中継電極ＲＥ２にコンタクトしている。第１配向膜ＡＬ１は、画素電極ＰＥ１及びＰＥ２、第３絶縁膜１３を覆っている。
【００４５】
一方、対向基板ＣＴは、ガラス基板や樹脂基板等の光透過性を有する第２絶縁基板２０を備えている。対向基板ＣＴは、第２絶縁基板２０のアレイ基板ＡＲに対向する側に、ブラックマトリクスＢＭ、赤色カラーフィルタＣＦＲ、オーバーコート層ＯＣ及び第２配向膜ＡＬ２等を備えている。
【００４６】
ブラックマトリクスＢＭ及び赤色カラーフィルタＣＦＲは、第２絶縁基板２０のアレイ基板ＡＲと対向する側の面に形成されている。オーバーコート層ＯＣは、赤色カラーフィルタＣＦＲを覆っている。第２配向膜ＡＬ２は、オーバーコート層ＯＣを覆っている。
【００４７】
ここで、本実施形態に係る液晶表示装置１と、図８に示す構造の液晶表示装置とを比較して、本実施形態から得られる効果について説明する。図８に示す構造の液晶表示装置は、第２スペーサＰＳ２が全て青色画素ＳＰＸＢと赤色画素ＳＰＸＲとにそれぞれ対応する青色カラーフィルタＣＦＢと赤色カラーフィルタＣＦＲとの間に配置されている点で、本実施形態に係る液晶表示装置１と相違する。また、第１スペーサＰＳ１付近の金属層ＭＬ６（青色画素ＳＰＸＢと赤色画素ＳＰＸＲとの間に形成される金属層ＭＬ６）が、隣接する金属層ＭＬ７（赤色画素ＳＰＸＲと緑色画素ＳＰＸＧとの間に形成される金属層ＭＬ７）に接続されずに、第１スペーサＰＳ１が配置された箇所において離間している点でも、本実施形態に係る液晶表示装置１と相違する。
【００４８】
図８に示す構造の液晶表示装置では、人間の視感度を考慮して、第１スペーサＰＳ１は、視感度が特に高い緑色画素ＳＰＸＧ以外の副画素、つまり、青色画素ＳＰＸＢと赤色画素ＳＰＸＲとにそれぞれ対応する青色カラーフィルタＣＦＢと赤色カラーフィルタＣＦＲとの間に配置されている。これによれば、外部からの押し圧力等によりスペーサ痕ができ、当該スペーサ痕による光漏れが生じ、スジむらができたとしても、当該スジむらが認識され辛い液晶表示装置とすることができる。また、この液晶表示装置によれば、駆動電極ＴＸの低抵抗化を実現するために、１つの画素ＰＸあたり、少なくとも２本の金属層ＭＬが表示領域ＤＡを貫通していることが望ましいという要求も満たすことができる。具体的には、第２スペーサＰＳ２が、第１スペーサＰＳ１と同様に、青色画素ＳＰＸＢと赤色画素ＳＰＸＲとにそれぞれ対応する青色カラーフィルタＣＦＢと赤色カラーフィルタＣＦＲとの間に配置されているため、赤色画素ＳＰＸＲと緑色画素ＳＰＸＧとの間に形成される金属層ＭＬと、緑色画素ＳＰＸＧと青色画素ＳＰＸＢとの間に形成される金属層ＭＬとが表示領域ＤＡを貫通し、駆動電極ＴＸの低抵抗化を実現することができる。
【００４９】
しかしながら、図８に示す構造の液晶表示装置では、透過率が律速する色である赤色カラーフィルタＣＦＲ付近（青色カラーフィルタＣＦＢと赤色カラーフィルタＣＦＲとの間）に、第１及び第２スペーサＰＳ１，ＰＳ２の両方が配置されてしまっている。第１及び第２スペーサＰＳ１，ＰＳ２が配置されるということは、これらスペーサに対応するブラックマトリクスＢＭも同様に配置されるということであり、これらブラックマトリクスＢＭが、透過率が律速する赤色カラーフィルタＣＦＲ付近に配置されるということは、液晶表示装置全体の透過率を低下させるという不都合を招く。
【００５０】
また、図８に示す構造の液晶表示装置では、第１及び第２スペーサＰＳ１，ＰＳ２の両方が青色カラーフィルタＣＦＢと赤色カラーフィルタＣＦＲとの間に配置されるため、緑色カラーフィルタＣＦＧ付近にはスペーサが配置されないことになる。つまり、緑色カラーフィルタＣＦＧ付近にはスペーサに対応するブラックマトリクスＢＭも配置されないことになる。これによれば、緑色画素ＳＰＸＧの透過率が他の画素、つまり、赤色画素ＳＰＸＲ及び青色画素ＳＰＸＢの透過率よりも大きくなり、白色のバランス（ホワイトバランス）を崩すという不都合を招く。この不都合を解消するためには、緑色画素ＳＰＸＧの透過率を故意に低下させる必要がある。しかしながら、これは液晶表示装置全体の透過率を低下させ、ひいては、輝度の低下を招くという別の不都合を招いてしまう。
【００５１】
以上のように、図８に示す構造の液晶表示装置では、スペーサ痕によるスジむらを認識され辛くし、かつ駆動電極ＴＸの低抵抗化を実現することはできるものの、液晶表示装置全体の透過率を向上させることができないという不都合がある。
これに比べて、本実施形態に係る液晶表示装置１によれば、第１スペーサＰＳ１が、視感度が特に高い緑色画素ＳＰＸＧ以外の画素、つまり、青色画素ＳＰＸＢと赤色画素ＳＰＸＲとにそれぞれ対応する青色カラーフィルタＣＦＢと赤色カラーフィルタＣＦＲとの間に配置されつつも、第２スペーサＰＳ２が、透過率が律速する赤色以外のカラーフィルタＣＦＧ，ＣＦＢの間に配置された構成を備えている。
【００５２】
また、単に第１スペーサＰＳ１を青色カラーフィルタＣＦＢと赤色カラーフィルタＣＦＲとの間に配置し、第２スペーサＰＳ２を緑色カラーフィルタＣＦＧと青色カラーフィルタＣＦＢとの間に配置しただけでは、１つの画素ＰＸあたり、少なくとも２本の金属層ＭＬにより表示領域ＤＡを貫通させたいという要求、つまり、駆動電極ＴＸの低抵抗化を実現することはできない。具体的には、青色画素ＳＰＸＢと赤色画素ＳＰＸＲとの間に形成される金属層ＭＬが、第１スペーサＰＳ１が配置された箇所において離間し、緑色画素ＳＰＸＧと青色画素ＳＰＸＢとの間に形成される金属層ＭＬが、第２スペーサＰＳ２が配置された箇所において離間してしまうためである。しかしながら、本実施形態に係る液晶表示装置１は、第１スペーサＰＳ１が配置された青色カラーフィルタＣＦＢと赤色カラーフィルタＣＦＲとにそれぞれ対応する青色画素ＳＰＸＢと赤色画素ＳＰＸＲとの間に形成される金属層ＭＬを、第１スペーサＰＳ１のスペーサ接地部分ＰＳＵを避けるようにして迂回させ、隣接する金属層ＭＬに接続させるという構成を備えている。これによれば、赤色画素ＳＰＸＲと緑色画素ＳＰＸＧとの間に形成される金属層ＭＬと、青色画素ＳＰＸＢと赤色画素ＳＰＸＲとの間に形成される金属層ＭＬとが表示領域ＤＡを貫通するので、駆動電極ＴＸの低抵抗化を実現することもできる。
【００５３】
なお、本実施形態では、図６に示したように、第１スペーサＰＳ１付近の金属層ＭＬ６の形状を、第１スペーサＰＳ１のスペーサ接地部分ＰＳＵとコンタクトホールＣＨとを避けるように迂回させて、隣接する金属層ＭＬ７に接続する形状とすることで、１つの画素ＰＸあたり、２本の金属層ＭＬが表示領域ＤＡを貫通するという要求を満たすようにしたが、金属層ＭＬ６の形状はこれに限定されるものではない。
【００５４】
具体的には、金属層ＭＬ６の形状は、図９及び図１０に示すような形状であってもよい。図９及び図１０は共に、金属層ＭＬ６の別の形状を示す概略平面図であり、詳しくは、図９は金属層ＭＬ６をアレイ基板ＡＲ側から見た場合の概略平面図であって、図１０は図９の一点鎖線領域内を対向基板ＣＴ側から見た場合の概略平面図である。金属層ＭＬ６は、金属層ＭＬ５に隣接して設けられ、第１スペーサＰＳ１が配置される青色画素ＳＰＸＢと赤色画素ＳＰＸＲとの間に形成される。金属層ＭＬ６は、ゲート線Ｇと重畳する箇所において離間した第１部分ＭＬ６１及びＭＬ６２（第２金属層）と、これらの第１部分ＭＬ６１及びＭＬ６２と金属層ＭＬ５とを接続する第２部分ＭＬ６３（第３金属層）と、を含む。
【００５５】
第１部分ＭＬ６１及びＭＬ６２は、第２方向Ｙに沿って屈曲しながら延びる。第２部分ＭＬ６３は、第１スペーサＰＳ１のスペーサ接地部分ＰＳＵを避けるように迂回している。一観点では、第２部分ＭＬ６３の一端側は第１部分ＭＬ６１に接続され、第２部分ＭＬ６３の他端側は第１部分ＭＬ６２に接続され、第２部分ＭＬ６３の中途部分が金属層ＭＬ５に接続されている。
【００５６】
第１部分ＭＬ６１及びＭＬ６２は、青色カラーフィルタＣＦＢと赤色カラーフィルタＣＦＲとの間に形成されるブラックマトリクスＢＭ内に収まるように形成される。また、第２部分ＭＬ６３の大部分は、第１スペーサＰＳ１の周囲を遮光するブラックマトリクスＢＭ内に収まるように形成される。図９においては、上記したように第１スペーサＰＳ１に対応するブラックマトリクスＢＭの形状は円形であるので、第２部分ＭＬ６３は、第１スペーサＰＳ１に対応した円形のブラックマトリクスＢＭの円弧に沿うようにして形成される。
【００５７】
金属層ＭＬ６の第１部分ＭＬ６１及びＭＬ６２は、図１０に示すように、ソース線Ｓに重畳している。第２部分ＭＬ６３は、図１０に示すように、スペーサ接地部分ＰＳＵ及びコンタクトホールＣＨを避けるように迂回して、金属層ＭＬ５に接続している。このような金属層ＭＬ５及びＭＬ６は、互いに離間した共通電極ＣＥ１及びＣＥ２を接続している。
【００５８】
なお、第２部分ＭＬ６３は、図９に示すように、第２スペーサＰＳ２が配置された箇所にて離間している（すなわち、駆動電極ＴＸとして機能しない）金属層ＭＬ５に接続されるので、図６に示した場合のように、接続部分の幅を第１線幅Ｗ１よりも大きい第２線幅Ｗ２をもって形成しなくてもよい。
【００５９】
以上のように、第１スペーサＰＳ１付近の金属層ＭＬ６の形状が、図９及び図１０に示す形状であった場合においても、１つの画素ＰＸあたり、少なくとも２本の金属層ＭＬにより表示領域ＤＡを貫通させたいという要求を満たすことができるので、上記した効果と同様な効果を得ることができる。
【００６０】
また、金属層ＭＬ６の形状は、例えば図１１及び図１２に示すような形状であってもよい。図１１及び図１２は共に、金属層ＭＬ６のさらに別の形状を示す概略平面図であり、詳しくは、図１１は金属層ＭＬ６をアレイ基板ＡＲ側から見た場合の概略平面図であって、図１２は図１１の一点鎖線領域内を対向基板ＣＴ側から見た場合の概略平面図である。金属層ＭＬ６は、金属層ＭＬ５及びＭＬ７にそれぞれ隣接して設けられ、第１スペーサＰＳ１が配置される青色画素ＳＰＸＢと赤色画素ＳＰＸＲとの間に形成される。金属層ＭＬ６は、ゲート線Ｇと重畳する箇所において離間した第１部分ＭＬ６１及びＭＬ６２（第２金属層）と、これらの第１部分ＭＬ６１及びＭＬ６２と金属層ＭＬ５及びＭＬ７とをそれぞれ接続する第２部分ＭＬ６３（第３金属層）と、を含む。
【００６１】
第１部分ＭＬ６１及びＭＬ６２は、第２方向Ｙに沿って屈曲しながら延びる。第２部分ＭＬ６３は、第１スペーサＰＳ１のスペーサ接地部分ＰＳＵを避けるように迂回している。一観点では、第２部分ＭＬ６３の一端側は第１部分ＭＬ６１に接続され、第２部分ＭＬ６３の他端側は第１部分ＭＬ６２に接続され、第２部分ＭＬ６３の中途部分が金属層ＭＬ５及びＭＬ７にそれぞれ接続されている。
【００６２】
第１部分ＭＬ６１及びＭＬ６２は、青色カラーフィルタＣＦＢと赤色カラーフィルタＣＦＲとの間に形成されるブラックマトリクスＢＭ内に収まるように形成される。また、第２部分ＭＬ６３の大部分は、第１スペーサＰＳ１の周囲を遮光するブラックマトリクスＢＭ内に収まるように形成される。図１１においては、上記したように第１スペーサＰＳ１に対応するブラックマトリクスＢＭの形状は円形であるので、第２部分ＭＬ６３は、第１スペーサＰＳ１に対応した円形のブラックマトリクスＢＭの円弧に沿うようにして形成される。
【００６３】
金属層ＭＬ６の第１部分ＭＬ６１及びＭＬ６２は、図１２に示すように、ソース線Ｓに重畳している。第２部分ＭＬ６３は、図１２に示すように、スペーサ接地部分ＰＳＵ及びコンタクトホールＣＨを避けるように迂回して、金属層ＭＬ５及びＭＬ７にそれぞれ接続している。このような金属層ＭＬ５〜ＭＬ７は、互いに離間した共通電極ＣＥ１及びＣＥ２を接続している。
【００６４】
金属層ＭＬ６の第１部分ＭＬ６１や金属層ＭＬ７は、図１２に示すように、第１線幅Ｗ１を有する。また、第２部分ＭＬ６３と金属層ＭＬ７との接続部分は、図１２に示すように、第１線幅Ｗ１よりも大きい第２線幅Ｗ２を有する。本構成の場合、第２線幅Ｗ２は、第１線幅Ｗ１の１倍以上であればよい。これによれば、金属層ＭＬ６及びＭＬ７のそれぞれについて抵抗値の増加を招くことなく、駆動電極ＴＸとして機能させることができる。
【００６５】
なお、第２部分ＭＬ６３と金属層ＭＬ５との接続部分の幅は、第１線幅Ｗ１よりも大きい第２線幅Ｗ２をもって形成しなくてもよい。ただ、金属層ＭＬ５の接続部分の幅をＷ１よりも太くすることも可能である。また、金属層ＭＬ６と金属層ＭＬ７とを、或いは、金属層ＭＬ６と金属層ＭＬ７とを連結する曲線状の配線部分の幅をＷ１よりも狭くすることも可能である。
【００６６】
以上のように、第１スペーサＰＳ１付近の金属層ＭＬ６の形状が、図１１及び図１２に示す形状であった場合においても、１つの画素ＰＸあたり、少なくとも２本の金属層ＭＬにより表示領域ＤＡを貫通させたいという要求を満たすことができるので、上記した効果と同様な効果を得ることができる。
【００６７】
図６、図１０及び図１２においては、金属層ＭＬ６を、第１スペーサＰＳ１のスペーサ接地部分ＰＳＵとコンタクトホールＣＨとを避けるように迂回させ、隣接する金属層ＭＬ５及びＭＬ７の少なくとも一方に接続することにより、１つの画素ＰＸあたり、少なくとも２本の金属層ＭＬにより表示領域ＤＡを貫通させたいという要求を満たし、駆動電極ＴＸの低抵抗化を実現するとした。しかしながら、金属層ＭＬ６を、隣接する金属層ＭＬ５及びＭＬ７の少なくとも一方に接続しなくても、少なくとも２本の金属層ＭＬにより表示領域ＤＡを貫通させるという要求を満たすことは可能である。具体的には、図１３に示すように、金属層ＭＬ６を、隣接する金属層ＭＬ５及びＭＬ７に接続せずに、第１スペーサＰＳ１のスペーサ接地部分ＰＳＵとコンタクトホールＣＨとを避けるように迂回させるだけであってもよい。
【００６８】
本実施形態においては、１つの画素ＰＸが、赤色画素ＳＰＸＲ、緑色画素ＳＰＸＧ及び青色画素ＳＰＸＢによって構成されている場合について説明したが、１つの画素ＰＸには、白色画素ＳＰＸＷがさらに含まれていてもよい。人間の視感度は、赤色、緑色、青色、白色の中では、特に白色に対して感度が高い。このため、第１柱状スペーサＰＳ１は白色画素ＳＰＸＷ以外の画素に対応したカラーフィルタ間に設けられる方が好ましい。また、第２柱状スペーサＰＳ２は、透過率向上の観点から、透過率が律速する赤色画素ＳＰＸＲ以外の画素に対応したカラーフィルタ間に設けられる方が好ましい。以上のことを考慮すると、第１柱状スペーサＰＳ１は、赤色カラーフィルタＣＦＲと緑色カラーフィルタＣＦＧとの間に配置されることが好ましい。また、第２柱状スペーサＰＳ２は、緑色カラーフィルタＣＦＧと青色カラーフィルタＣＦＢとの間に配置されることが好ましい。これによれば、１つの画素ＰＸが、赤色画素ＳＰＸＲ、緑色画素ＳＰＸＧ、青色画素ＳＰＸＢ及び白色画素ＳＰＸＷにより構成される場合であっても、表示品位に優れた液晶表示装置とすることができる。なお、１つの画素ＰＸに白色画素ＳＰＸＷが含まれている場合、第１柱状スペーサＰＳ１付近の金属層ＭＬを、隣接する金属層ＭＬに接続しなくても、１つの画素ＰＸあたり、少なくとも２本の金属層ＭＬにより表示領域ＤＡを貫通させたいという要求を満たすことができるので、駆動電極ＴＸの低抵抗化を実現することもできる。
【００６９】
以上説明した一実施形態によれば、表示品位に優れた液晶表示装置を提供することができる。  
具体的には、第１柱状スペーサＰＳ１の径を９．０μｍとし、第２柱状スペーサＰＳ２の径を９．５μｍとし、１６ピクセル（縦４ピクセル×横４ピクセル）あたり、第１柱状スペーサＰＳ１を青色カラーフィルタＣＦＢと赤色カラーフィルタＣＦＲとの間に１個配置し、１６ピクセルあたり第２柱状スペーサＰＳ２を緑色カラーフィルタＣＦＧと青色カラーフィルタＣＦＢとの間に１５個配置することで、従来に比べて、透過率を３．６％向上させることができる。
【００７０】
以上、本発明のいくつかの実施形態を説明したが、これらの実施形態は例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。例えば、上述の実施形態では、共通電極と液晶層との間に画素電極が設けられる構成を示しているが、画素電極と液晶層との間に共通電極と金属層とを設ける構成であってもよい。また、駆動電極を第２の方向に設け、第１の方向に併設する構成であるが、駆動電極を第１の方向に設ける場合であっても、共通電極間を低抵抗化のために金属層で接続する場合がある。そのような構成に対しても本願発明を適用することが可能である。
【符号の説明】
【００７１】
１…液晶表示装置、２…液晶表示パネル、１０…第１絶縁基板、１１…第１絶縁膜、１２…第２絶縁膜、１３…第３絶縁膜、２０…第２絶縁基板、Ｇ…ゲート配線、Ｓ…ソース配線、ＰＸ…画素、ＳＰＸＲ，ＳＰＸＧ，ＳＰＸＢ…副画素、ＡＲ…アレイ基板、ＣＴ…対向基板、ＲＥ１，ＲＥ２…中継電極、共通電極…ＣＥ、ＭＬ…金属層、ＰＥ…画素電極、ＣＨ…コンタクトホール、ＡＬ１…第１配向膜、ＬＣ…液晶層、ＡＬ２…第２配向膜、ＯＣ…オーバーコート層、ＣＦＲ，ＣＦＧ，ＣＦＢ…カラーフィルタ、ＢＭ…ブラックマトリクス、ＲＸ…検出電極、ＴＸ…駆動電極。
【図１】
2017122770.tif 000003
【図２】
2017122770.tif 000004
【図３】
2017122770.tif 000005
【図４】
2017122770.tif 000006
【図５】
2017122770.tif 000007
【図６】
2017122770.tif 000008
【図７】
2017122770.tif 000009
【図８】
2017122770.tif 000010
【図９】
2017122770.tif 000011
【図１０】
2017122770.tif 000012
【図１１】
2017122770.tif 000013
【図１２】
2017122770.tif 000014
【図１３】
2017122770.tif 000015